(57)【要約】  パッケージ１は、複数のシガレットＣを収納するインナケース３と、インナケース３を相対移動可能に収容するアウタケース２とを備え、開放操作に伴いインナケース３がアウタケース２に対して相対移動することで、インナケース３の上面の一部が取り出し口として外部に露出し、シガレットＣへのアクセスが可能となる。パッケージ１は、基端側がインナケース３の内面に固定されると共に先端側をインナケースに形成された第１スリット開口窓３１Ａに挿通することで一部が外部に露出し、インナケース３内の領域をシガレット収納部Ｐ１とシガレット非収納部Ｐ２とに仕切る仕切り帯片４を備える。仕切り帯片４は、第１スリット開口窓３１Ａからインナケース３の外部への送り出し量が調節されることでシガレット収納部Ｐ１およびシガレット非収納部Ｐ２の比率を変更自在である。
2013136425.tif 000002
【特許請求の範囲】
【請求項１】
複数の棒状物品を収納するインナケースと、前記インナケースを相対移動可能に収容するアウタケースとを備え、所定の開放操作に伴い前記インナケースが前記アウタケースに対して相対移動することで、前記インナケースの上面の一部が取り出し口として外部に露出し、前記棒状物品へのアクセスが可能となるパッケージであって、
基端側が前記インナケースの内面に固定されると共に先端側を前記インナケースに形成された第１挿通孔に挿通することで一部が外部に露出し、前記インナケース内の領域を前記棒状物品が収納される収納部と非収納部とに仕切る仕切り帯片を更に備え、
前記仕切り帯片は、前記第１挿通孔から前記インナケースの外部への送り出し量が調節されることで前記収納部および前記非収納部の比率を変更自在である、
棒状物品のパッケージ。
【請求項２】
前記インナケースにおいて一組の対向する側壁のうち何れか一方の第１側壁に前記仕切り帯片の基端側が固定され、何れか他方の第２側壁に前記第１挿通孔が設けられている、
請求項１に記載の棒状物品のパッケージ。
【請求項３】
前記第１側壁に対する前記仕切り帯片の固定部および前記第１挿通孔が、前記第１側壁および前記第２側壁を連結する一組の対向する側壁のうち何れか一方の第３側壁寄りの位置に配置され、
前記取り出し口が、前記インナケースにおける上面のうち前記第３側壁寄りの位置に形成される、
請求項２に記載の棒状物品のパッケージ。
【請求項４】
前記仕切り帯片のうち前記第１挿通孔を挿通して前記インナケースの外部に送り出された部分は前記インナケースの前記第３側壁に沿って配置され、且つ、前記仕切り帯片の先端側は前記インナケースの前記第１側壁と前記アウタケースの側壁との間に挟み込まれている、
請求項３に記載の棒状物品のパッケージ。
【請求項５】
前記インナケースにおいて、前記第３側壁と前記第１側壁との境界をなす縁部、および前記第３側壁と前記第２側壁との境界をなす縁部が面取りされている、
請求項４に記載の棒状物品のパッケージ。
【請求項６】
前記第１側壁には第２挿通孔が形成されており、前記第１側壁と前記アウタケースの側壁との間に挟み込まれた前記仕切り帯片が、前記第２挿通孔を挿通することで前記インナケースの内部に引き込まれている、
請求項４または５に記載の棒状物品のパッケージ。
【請求項７】
前記インナケースにおいて、前記第３側壁に対向して設けられる第４側壁と前記第１側壁との境界をなす縁部、および前記第４側壁と前記第２側壁との境界をなす縁部が面取りされている、
請求項６に記載の棒状物品のパッケージ。
【請求項８】
前記第１挿通孔から前記インナケースの外部に送り出された前記仕切り帯片のうち外部に露出する面の少なくとも一部に、滑り止め部が形成されている、
請求項４から７の何れか一項に記載の棒状物品のパッケージ。
【請求項９】
前記アウタケースは、
前記インナケースの前記第３側壁に対向する側壁に形成されると共に前記第３側壁および前記仕切り帯片を部分的に露出させる操作用開口窓と、
天壁の一部に形成されて、蓋部材によって開閉される天壁開口窓と、
を有し、
前記インナケースは、前記アウタケース内を昇降自在に収容され、且つ、その底面のうち前記天壁開口窓の下方に位置する領域のみにリフト用底板が形成されている、
請求項４から８の何れか一項に記載の棒状物品のパッケージ。
【請求項１０】
前記アウタケースにおける底壁の内面のうち、前記インナケースの前記リフト用底板の下方に位置する領域に、他の領域に比べて一段低い深底部が設けられている、
請求項９に記載の棒状物品のパッケージ。
【請求項１１】
前記深底部と前記他の領域との段差寸法は、前記インナケースの前記リフト用底板の厚さ以上に設定されている、
請求項１０に記載の棒状物品のパッケージ。
【請求項１２】
前記蓋部材は、前記インナケースの上端にヒンジ連結されると共に前記インナケースの昇降に連動して前記天壁開口窓を開閉するヒンジリッドを有する、
請求項９から１１の何れか一項に記載の棒状物品のパッケージ。
【請求項１３】
前記操作用開口窓を通じて前記インナケースを上昇させた際に前記ヒンジリッドにより前記天壁開口窓が開放された状態を保持する開放状態保持手段を更に備える、
請求項１２に記載の棒状物品のパッケージ。
【発明の詳細な説明】
【技術分野】
【０００１】
本発明は、棒状物品のパッケージに関する。
【背景技術】
【０００２】
従来、シガレット等の棒状物品を収納するパッケージとして、ボックス型パッケージが公知である。ボックス型パッケージの１つの形態として、プッシュアップ式のボックス型パッケージが知られている（例えば、特許文献１を参照）。プッシュアップ式のボックス型パッケージは、扱い者が所定の開放操作を行うことで、インナケースの上面の一部がシガレットの取り出し口として外部に露出するように構成される。【０００３】
例えば、特許文献１に記載のシガレットボックスでは、シガレットの束の周囲を囲むインナケースと、このインナケースを昇降自在に収容するアウタケースとを備えている。そして、アウタケースの一部にヒンジリッドを形成し、インナケースにおける底面のうち、ヒンジリッドの下方に位置する領域のみに底壁を形成している。そして、扱い者によって、アウタケース内でインナケースを上昇させる操作が行われると、ヒンジリッドが開放されると共にインナケースの底壁の上に載置されたシガレットが底壁と共に上昇する。その結果、ヒンジリッドが開放され、シガレットを取り出すことが可能となる。【０００４】
プッシュアップ式のパッケージは、その上面全体が開放される通常のヒンジリッド型パッケージなどとは異なり、シガレットの取り出し口が比較的狭くなるといった構造上の特徴を有する。
そうすると、例えば、パッケージに収納されるシガレットの本数が少なくなった際に、シガレットの上端または下端がパッケージの内面に引っ掛かるなどして、取り出し口からシガレットを取り出しにくくなる場合がある。また、パッケージ内面へのシガレットの引っ掛かりを解消させようとしてパッケージを振ると、シガレットの刻がパッケージ内に散乱するなどの弊害が起こる要因となる。【０００５】
これに関連して、ケース本体内に隔壁を設け、この隔壁でシガレットの収納部と吸殻収納部とを仕切るようにした収納ケースであって、隔壁を圧縮ばねによって付勢することで、隔壁によって収納部内のシガレットを押し付けるようにしたシガレットの収納ケースが知られている（例えば、特許文献２などを参照）。
【先行技術文献】
【特許文献】
【０００６】
【特許文献１】国際公開第２００７／０２９５２８
【特許文献２】実開平１−１４２６９７号公報
【特許文献３】実開平２−２６４９９号公報
【発明の概要】
【発明が解決しようとする課題】
【０００７】
しかしながら、上述した収納ケースのように、圧縮ばねなどを用いて収納部内のシガレットに隔壁を押し付ける場合、一旦取り出したシガレットを再びケース内に収納することが困難となる。
本発明は、上記した問題に鑑みてなされたものであって、その目的は、複数の棒状物品を収納し、所定の開放操作に伴いインナケースの上面の一部が取り出し口として外部に露出することで棒状物品へのアクセスが可能となるパッケージにおいて、収納する棒状物品が少なくなった状態でも棒状物品を容易に取り出すことができ、しかも一旦取り出した棒状物品を容易に再収納することの可能な棒状物品のパッケージを提供することにある。
【課題を解決するための手段】
【０００８】
上記課題を解決するために、本発明における棒状物品のパッケージは、以下の手段を採用した。すなわち、本発明における棒状物品のパッケージは、複数の棒状物品を収納するインナケースと、前記インナケースを相対移動可能に収容するアウタケースとを備え、所定の開放操作に伴い前記インナケースが前記アウタケースに対して相対移動することで、前記インナケースの上面の一部が取り出し口として外部に露出し、前記棒状物品へのアクセスが可能となるパッケージであって、基端側が前記インナケースの内面に固定されると共に先端側を前記インナケースに形成された第１挿通孔に挿通することで一部が外部に露出し、前記インナケース内の領域を前記棒状物品が収納される収納部と非収納部とに仕切る仕切り帯片を更に備え、前記仕切り帯片は、前記第１挿通孔から前記インナケースの外部への送り出し量が調節されることで前記収納部および前記非収納部の比率を変更自在である。【０００９】
上記構成のパッケージによれば、インナケースの内部空間を収納部と非収納部とに仕切る仕切り帯片が第１挿通孔から外部に露出される送り出し量を自在に変更することができる。従って、第１挿通孔からの仕切り帯片の送り出し量を増やすことにより収納部を縮小させる送り出し操作と、仕切り帯片の送り出し量減らすことで収納部を拡大させ引き込み操作を自在に行うことができる。なお、扱い者は、仕切り帯片のうちインナケースの外部に露出した部分にアクセスすることで、上記送り出し操作や引き込み操作を行うことができる。これら送り出し操作や引き込み操作によって、仕切り帯片により区画されるインナケース内の収納部と非収納部との比率を自由に変更することができる。【００１０】
パッケージの扱い者が開放操作を行った際に、棒状物品の取り出し口として外部に露出する部分は、インナケースの上面のうち収納部に対応する領域に形成される。扱い者は、パッケージに収納されている棒状物品の本数が少なくなった場合、仕切り帯片の送り出し操作を行うことで、仕切り帯片によって棒状物品を取り出し口側に手繰り寄せることが可能である。これにより、棒状物品を容易にパッケージから取り出すことが可能となる。【００１１】
一方、パッケージから一旦取り出した棒状物品を再収納する場合、扱い者は、上述した仕切り帯片の引き込み操作を行う。引き込み操作が行われると、棒状物品の束を周囲から押し付けていた仕切り帯片の緊張が緩み、インナケース内に収納部として形成されていた領域が拡大される。これにより、パッケージ内に棒状物品を容易に戻すことができる。【００１２】
また、本発明に係る棒状物品のパッケージは、前記インナケースにおいて一組の対向する側壁のうち何れか一方の第１側壁に前記仕切り帯片の基端側が固定され、何れか他方の第２側壁に前記第１挿通孔が設けられていてもよい。このような態様で仕切り帯片を設けることで、仕切り帯片の送り出し操作および引き込み操作を行った際に、インナケース内に形成される収納部および非収納部の比率の調整が行いやすくなる。【００１３】
この場合、前記第１側壁に対する前記仕切り帯片の固定部および前記第１挿通孔が、前記第１側壁および前記第２側壁を連結する一組の対向する側壁のうち何れか一方の第３側壁寄りの位置に配置され、前記取り出し口が、前記インナケースにおける上面のうち前記第３側壁寄りの位置に形成されるとよい。【００１４】
仕切り帯片の固定部および第１挿通孔を第３側壁寄りの位置に配置すると、仕切り帯片の送り出し操作時に、仕切り帯片によって棒状物品が第３側壁側に手繰り寄せられる。上記構成によれば、仕切り帯片の送り出し操作によって手繰り寄せられた棒状物品の上部に取り出し口が形成されるようになる。つまり、仕切り帯片の送り出し操作によって棒状物品を収集する位置と、取り出し口が形成される位置とを、パッケージの幅方向において合致させることができる。これにより、扱い者は、取り出し口から棒状物品により一層容易にアクセスすることができるようになる。【００１５】
また、本発明に係る棒状物品のパッケージにおいて、前記仕切り帯片のうち前記第１挿通孔を挿通して前記インナケースの外部に送り出された部分は前記第３側壁に沿って配置され、且つ、前記仕切り帯片の先端側は前記インナケースの前記第１側壁と前記アウタケースの側壁との間に挟み込まれていてもよい。
第１挿通孔を通じてインナケースの外部に送り出された仕切り帯片の先端部を上記のようにアウタケースの側壁の内側に収めることにより、仕切り帯片の先端部の折れ曲がりや破損を抑制できる。【００１６】
また、上記構成において、インナケースの第３側壁に対向してアウタケースの壁面が配置されている場合には、第３側壁の外面に沿って配置される仕切り帯片にアクセスするための操作用開口窓をアウタケースの壁面に形成してもよい。これにより、仕切り帯片を第３側壁に沿ってスライドさせることで、仕切り帯片の送り出し操作や引き込み操作を容易に行うことができる。【００１７】
また、本発明に係る棒状物品のパッケージは、前記インナケースにおいて、前記第３側壁と前記第１側壁との境界をなす縁部、および前記第３側壁と前記第２側壁との境界をなす縁部が面取りされていてもよい。ここで、面取りの態様は、平面状の面取りであってもよいし円弧状の面取りであってもよい。このように、第３側壁の両側縁部を面取りすることで、インナケースの第３側壁に沿って周回する仕切り帯片を、スムーズにスライドさせることできる。その結果、仕切り帯片の送り出し操作や引き込み操作をよりスムーズに行うことができるようになる。【００１８】
また、本発明に係る棒状物品のパッケージにおいて、前記第１側壁には第２挿通孔が形成されており、前記第１側壁と前記アウタケースの側壁との間に挟み込まれた前記仕切り帯片が、前記第２挿通孔を挿通することで前記インナケースの内部に引き込まれていてもよい。このように、仕切り帯片の先端部を第２挿通孔からインナケースの内部に収納することで、上記送り出し操作に際して仕切り帯片の送り出し量が多くなっても、仕切り帯片の先端部がアウタケースの壁面に干渉することがなく、送り出し操作を円滑に行うことができる。【００１９】
また、本発明に係る棒状物品のパッケージは、インナケースにおいて、前記第３側壁に対向して設けられる第４側壁と前記第１側壁との境界をなす縁部、および前記第４側壁と前記第２側壁との境界をなす縁部が面取りされていてもよい。このように、第４側壁の両側縁部を面取りすることで、仕切り帯片の送り出し量が多くなった際に、仕切り帯片の先端部をインナケースの第４側壁に沿わせることができる。よって、仕切り帯片の送り出し操作を円滑に行うことができる。【００２０】
また、本発明に係る棒状物品のパッケージにおいて、前記第１挿通孔から前記インナケースの外部に送り出された前記仕切り帯片のうち外部に露出する面の少なくとも一部に、滑り止め部が形成されていてもよい。
仕切り帯片の露出面に滑り止め部を形成することで、仕切り帯片の送り出し操作や引き込み操作を行う際に、仕切り帯片から指が滑りにくくなる。故に、仕切り帯片の送り出し操作や引き込み操作に関する誤操作を抑制できる。【００２１】
また、本発明に係る棒状物品のパッケージにおいて、前記アウタケースは、前記インナケースの前記第３側壁に対向する側壁に形成されると共に前記第３側壁および前記仕切り帯片を部分的に露出させる操作用開口窓と、天壁の一部に形成されて、蓋部材によって開閉される天壁開口窓と、を有し、前記インナケースは、前記アウタケース内を昇降自在に収容され、且つ、その底面のうち前記天壁開口窓の下方に位置する領域のみにリフト用底板が形成されていてもよい。
上記のように、所謂プッシュアップ式のパッケージに、上述までの仕切り帯片を適用することができる。扱い者は、仕切り帯片のスライド操作時に操作用開口窓を通じて仕切り帯片にアクセスすることができ、また、インナケースの昇降操作時に操作用開口窓を通じてインナケースにアクセスすることができる。【００２２】
上記構成のパッケージは、アウタケースにおける底面のうち天壁開口窓の下方に位置する領域のみにリフト用底板が形成されている。そのため、扱い者が操作用開口窓を通じてアウタケース内のインナケースを昇降させると、リフト用底板に載っている棒状物品がリフト用底板と共に昇降する。そして、天壁開口窓の蓋部材を開放すると共に、リフト用底板の上面に載せられた状態の棒状物品を上昇させる操作を行うことで、天壁開口窓から棒状物品の上部側を外部に露出させることができる。これにより、扱い者が棒状物品へとアクセスすることが許容され、棒状物品をパッケージから取り出すことが可能となる。【００２３】
一方、仕切り帯片の送り出し操作や引き込み操作を行う際には、操作用開口窓から露出する仕切り帯片にアクセスし、仕切り帯片を第３側壁に沿ってスライドさせる。そして、操作用開口窓を通じて、第１挿通孔からの送り出し量が増加する方向に仕切り帯片をスライドさせることで送り出し操作を行うことができる。これにより、パッケージに収納する棒状物品の本数が少なくなった状態でも棒状物品の取り出し容易性が担保される。
また、操作用開口窓を通じて、第１挿通孔からの送り出し量が減少する方向に仕切り帯片をスライドさせることで引き込み操作を行うことができる。これにより、開放された状態の天壁開口窓を通じて、棒状物品をパッケージ内に容易に戻すことがきる。【００２４】
また、本発明に係る棒状物品のパッケージにおいて、前記アウタケースにおける底壁の内面のうち、前記インナケースの前記リフト用底板の下方に位置する領域に、他の領域に比べて一段低い深底部が設けられていてもよい。このようにすれば、仕切り帯片の送り出し操作時にパッケージ内の棒状物品をリフト用底板へとスムーズに載せることが可能となる。【００２５】
前記深底部と前記他の領域との段差寸法は、前記インナケースの前記リフト用底板の厚さ以上に設定されてもよい。これにより、アウタケース内においてインナケースが最下位置まで降下した際に、アウタケースにおいて上記他の領域の上面高さとリフト用底板の上面高さとが一致するか、若しくは、リフト用底板の上面高さが上記他の領域の上面高さよりも低くなる。その結果、仕切り帯片の送り出し操作時において、パッケージ内の棒状物品をリフト用底板へとより一層スムーズに載せることが可能となる。【００２６】
また、本発明に係る棒状物品のパッケージにおいて、前記蓋部材は、前記インナケースの上端にヒンジ連結されると共に前記インナケースの昇降に連動して前記天壁開口窓を開閉するヒンジリッドを有してもよい。このようにパッケージを構成することで、インナケースの昇降動作と、ヒンジリッドによる天壁開口窓の開閉動作を互いに関連付けることができ、パッケージの使い勝手を向上できる。【００２７】
ここで、本発明に係る棒状物品のパッケージは、前記操作用開口窓を通じて前記インナケースを上昇させた際に前記ヒンジリッドにより前記天壁開口窓が開放された状態を保持する開放状態保持手段を更に備えてもよい。このような開放状態保持手段を備えることにより、リフト用底板の上面に載っている棒状物品の重量によって、インナケースが降下することを抑制できる。よって、例えば、操作用開口窓を通じてインナケースを押さえ付けていた指を離したとしても、インナケースの上端に連結されているヒンジリッドによって天壁開口窓が不用意に塞がれてしまうことを回避できる。【００２８】
なお、本発明における課題を解決するための手段は、可能な限り組み合わせて採用することができる。
【発明の効果】
【００２９】
本発明によれば、複数の棒状物品を収納し、所定の開放操作に伴いインナケースの上面の一部が取り出し口として外部に露出することで棒状物品へのアクセスが可能となるパッケージにおいて、収納する棒状物品が少なくなった状態でも棒状物品を容易に取り出すことができ、しかも一旦取り出した棒状物品を容易に再収納することが可能となる。
【図面の簡単な説明】
【００３０】
【図１】実施形態に係るパッケージの閉状態を示す斜視図である。
【図２】実施形態に係るパッケージの開状態を示す斜視図である。
【図３】実施形態に係るパッケージの分解斜視図である。
【図４Ａ】実施形態に係るパッケージの水平断面図（その１）である。
【図４Ｂ】実施形態に係るパッケージの水平断面図（その２）である。
【図５Ａ】実施形態に係る仕切り帯片の動作を説明する説明図（その１）である。
【図５Ｂ】実施形態に係る仕切り帯片の動作を説明する説明図（その２）である。
【図６】実施形態に係るアウタケースの内部を透視した透視図である。
【図７】実施形態に係るアウタケースの底壁の段差構造を説明する図である。
【図８】実施形態に係る第１ブランクを示す図である。
【図９】実施形態に係る第２ブランクを示す図である。
【図１０Ａ】実施形態の変形例に係るパッケージの水平断面図（その１）である。
【図１０Ｂ】実施形態の変形例に係るパッケージの水平断面図（その２）である。
【図１１】実施形態の変形例に係るパッケージを説明する説明図（その１）である。
【図１２】実施形態の変形例に係るパッケージを説明する説明図（その２）である。
【発明を実施するための形態】
【００３１】
本発明に係る棒状物品のパッケージの実施形態について、図面を参照して説明する。本実施形態では、パッケージに収納する棒状物品の適用例としてシガレットを例に説明するがこれに限定されるものではなく、種々の棒状物品をパッケージに収納することができる。また、本実施形態に記載されている構成要素の寸法、材質、形状、その相対配置等は、特に特定的な記載がない限りは、発明の技術的範囲をそれらのみに限定する趣旨のものではない。
【００３２】
図１および図２は、実施形態に係るパッケージ１の斜視図である。図１は、パッケージ１の閉状態を示す斜視図である。図２は、パッケージ１の開状態を示す斜視図である。図３は、パッケージ１の分解斜視図である。
パッケージ１は、略直方体形状をなしたボックス型パッケージであり、アウタケース２およびインナケース３を備える。インナケース３には、複数のシガレットＣが収納されており、インナケース３がアウタケース２に対して相対移動可能に収容されている。具体的には、パッケージ１は、インナケース３がアウタケース２内に昇降自在に収容されている。そして、パッケージ１は、アウタケース２内におけるインナケース３を相対的に持ち上がるとパッケージ１が開状態となり、シガレットへのアクセスが可能となるプッシュアップ式のパッケージである。
【００３３】
アウタケース２は、前壁２１、後壁２２、前壁２１および後壁２２の両側縁部を相互に連結する一対の側壁２３，２４（ここで、夫々の側壁を右側壁２３、左側壁２４とする）、底壁２５、天壁２６を有する箱体である。前壁２１および後壁２２は互いに対向配置されている。前壁２１、後壁２２、右側壁２３、および左側壁２４の下端には底壁２５が連結されており、これらの上端には天壁２６が連結されている。前壁２１、後壁２２、右側壁２３、左側壁２４、底壁２５、および天壁２６は夫々が矩形状を有しており、アウタケース２は全体として略直方体形状をなしている。
【００３４】
前壁２１と後壁２２はパッケージ１（アウタケース２）における高さおよび幅によって定義（規定）される。また、右側壁２３および左側壁２４はパッケージ１（アウタケース２）における高さと奥行きによって定義（規定）される。また、底壁２５および天壁２６はパッケージ１（アウタケース２）における幅および奥行きによって定義（規定）される。
【００３５】
アウタケース２における右側壁２３には、操作用開口窓２３Ａが形成されている。操作用開口窓２３Ａは、アウタケース２における右側壁２３の長手方向でみて、その中央部付近に配置されている。本実施形態において、操作用開口窓２３Ａは概ね矩形状の開口部として形成されているが、その他の形状であってもよい。また、操作用開口窓２３Ａの配置位置、範囲、大きさなどについては、適宜変更することができる。操作用開口窓２３Ａの機能については、後から詳述する。
【００３６】
更に、アウタケース２における天壁２６には、天壁開口窓２６Ａが形成されている。天壁開口窓２６Ａは、天壁２６の長手方向における一方の端部に形成されている。本実施形態では、天壁２６のうち、右側壁２３と連結される方の端部に天壁開口窓２６Ａが設けられている。本実施形態において、天壁開口窓２６Ａは四角形状を有しているが、他の形状を有していてもよい。
【００３７】
インナケース３は、前方側壁３１、後方側壁３２、右側壁３３、左側壁３４、およびリフト用底板３５を有する。前方側壁３１および後方側壁３２、右側壁３３および左側壁３４は夫々、互いに対向する一組の側壁である。なお、前方側壁３１および後方側壁３２は同一形状を有している。インナケース３の上面は、全面が開口している。また、インナケース３の底面は、一部のみを閉塞するリフト用底板３５を除いて、開口している。インナケース３のリフト用底板３５は、右側壁３３に近接して設けられている。リフト用底板３５の横幅は、天壁開口窓２６Ａの横幅よりも若干小さめに設定されている。なお、ここでいう横幅とは、パッケージ１の幅方向に対応している。
【００３８】
また、インナケース３における右側壁３３と、前方側壁３１および後方側壁３２の夫々との境界をなす縁部は、共に面取り縁部３３Ａとして形成されている。本実施形態では、面取り縁部３３Ａが平面状に面取り（かど面）されているが、円弧状に面取り（まる面）されていてもよい。なお、インナケース３における左側壁３４と、前方側壁３１および後方側壁３２の夫々との境界をなす縁部は、共にスクエア縁部（スクエアエッジ）となっているが、面取りがなされていてもよい。
【００３９】
インナケース３の高さは、アウタケース２の高さよりも低い。すなわち、インナケース３における前方側壁３１および後方側壁３２の長手方向の寸法は、アウタケース２における前壁２１および後壁２２の長手方向の寸法よりも小さい。これによって、インナケース３は、アウタケース２の内部において昇降自在となっている。
【００４０】
更に、インナケース３における右側壁３３の上端には、アウタケース２の天壁開口窓２６Ａを塞ぐための蓋部材であるヒンジリッド５がヒンジ連結されている。ヒンジリッド５は、蓋部５１と、立上り部５２と、一組の側板部５３と、ヒンジ部５４を有する。
立上り部５２は、右側壁３３の上端とヒンジ部５４を介して回動自在に連結されており、この立上り部５２に直交して蓋部５１が連結されている。また、各側板部５３は、立上り部５２および蓋部５１の側縁同士を連結しており、これによってヒンジリッド５の剛性が確保され、外形が図示のように保持される。また、インナケース３における右側壁３３の上端は、前方側壁３１、後方側壁３２、左側壁３４の上端に比べて、僅かに上方に突出している。
【００４１】
ヒンジリッド５における蓋部５１および立上り部５２は四角形状を有している。蓋部５１の幅（図３に示す前後方向の部材寸法）は、アウタケース２の天壁開口窓２６Ａに比べて僅かに小さく形成され、蓋部５１の長さ（図３に示す左右方向の部材寸法）はアウタケース２の天壁開口窓２６Ａを塞ぐことのできる寸法に形成されている。また、アウタケース２内におけるインナケース３が下がった状態では、ヒンジリッド５の立上り部５２が、アウタケース２の内部に没入した状態となる。この状態で、ヒンジリッド５の立上り部５２は、アウタケース２の右側壁２３に沿って対向配置される。一方、ヒンジリッド５の蓋部５１は、アウタケース２の天壁２６に対して平行な姿勢に保持される。
【００４２】
ここで、図１は、アウタケース２内において、インナケース３が最も低い位置にある状態を示している。この状態において、インナケース３のリフト用底板３５は、アウタケース２の底壁２５に当接している。立上り部５２の高さ（ヒンジ部５４に直交する方向の寸法）は、アウタケース２とインナケース３との高さの差と略等しい寸法に設定されている。そのため、インナケース３がアウタケース２の底面に当接するまで降下すると、ヒンジリッド５における蓋部５１の高さが天壁開口窓２６Ａの高さに合致する。これにより、アウタケース２の天壁開口窓２６Ａがヒンジリッド５の蓋部５１によって塞がれた状態となる。
【００４３】
次に、パッケージ１に具備される仕切り帯片４について説明する。図４Ａ、図４Ｂは、実施形態に係るパッケージ１の水平断面を示す図である。図４Ａ，４Ｂは、アウタケース２の操作用開口窓２３Ａを通る高さでのパッケージ１の断面を示している。また、図５Ａ，図５Ｂは、実施形態に係る仕切り帯片４の動作を説明する説明図である。
【００４４】
仕切り帯片４は、その一部がインナケース３に収容される帯部材であり、インナケース３内の平面領域をシガレットＣが収納されるシガレット収納部Ｐ１（収納部）と、シガレットＣが収納されないシガレット非収納部Ｐ２（非収納部）とに仕切っている。仕切り帯片４は、例えば紙材、プラスチックフィルム材、金属フィルム材などといった可撓性を有する部材によって形成することができるが、これらに限定されるものではない。
【００４５】
仕切り帯片４は、基端４Ａ側がインナケース３の後方側壁３２の内面に接着部材６を介して固定されている。接着部材６は、接着剤であってもよいし、粘着材であってもよく、特段限定されない。ここで、インナケース３の後方側壁３２のうち、仕切り帯片４の基端４Ａが固定される部位を固定部３２Ａと称する。インナケース３の後方側壁３２において、固定部３２Ａは、右側壁３３寄り（近傍）の位置に設けられている。
【００４６】
インナケース３の前方側壁３１には、第１スリット開口窓３１Ａが形成されている。第１スリット開口窓３１Ａは、前方側壁３１の高さ方向（長手方向）に沿って延伸した長孔である。第１スリット開口窓３１Ａ（第１挿通孔）は、前方側壁３１のうち、右側壁３３寄り（近傍）の位置に設けられている。
仕切り帯片４における短手方向の幅は、第１スリット開口窓３１Ａの高さ方向の開口幅よりも若干小さめに形成されている。仕切り帯片４の先端４Ｂ側は、インナケース３の第１スリット開口窓３１Ａに挿通され、インナケース３の外部に送り出される。
【００４７】
仕切り帯片４において、インナケース３内に形成される物品非収納部Ｐ２を臨む方の面を“表面”とし、シガレット収納部Ｐ１を臨む方の面を“背面”とする。インナケース３内の仕切り帯片４は、その背面によって、シガレットＣの束の周囲を直接囲むようにして配置されている。ここで、“直接”とは、アルミ蒸着紙などといった内包材によって包まれていない複数のシガレットＣの束が仕切り帯片４の背面に直接接触する態様で、その周囲を仕切り帯片４によって囲まれていることを指している。
【００４８】
次に、仕切り帯片４のうち、第１スリット開口窓３１Ａを挿通してインナケース３の外部に送り出された部分（以下、送り出し部分という）について説明する。
仕切り帯片４のうち第１スリット開口窓３１Ａを挿通した上記送り出し部分は、インナケース３の側壁外面に沿って配置される。この場合、仕切り帯片４の背面が、インナケース３の側壁外面に面している。また、図４および図５にも示されるように、仕切り帯片４の送り出し部分は、インナケース３の前方側壁３１、右側壁３３、後方側壁３２の外面を周回している。
【００４９】
ところで、インナケース３はアウタケース２内に収容されているため、送り出し部分における仕切り帯片４の表面は、アウタケース２の内面と向き合うようにして配置される。つまり、仕切り帯片４の送り出し部分は、インナケース３およびアウタケース２間に挟まれた状態となる。
【００５０】
アウタケース２の右側壁２３に設けられた操作用開口窓２３Ａは、インナケース３の右側壁３３および仕切り帯片４の表面を部分的に露出させる。従って、扱い者は、操作用開口窓２３Ａを通じて、インナケース３の右側壁３３および仕切り帯片４の双方にアクセスすることができる。これにより、後述するインナケース３の昇降操作および仕切り帯片４のスライド操作が許容されるようになる。
【００５１】
ここで、図１に示す状態から、アウタケース２内のインナケース３を上昇させる開放操作を行い、パッケージ１内に収納されたシガレットＣを取り出す手順を説明する。扱い者は、操作用開口窓２３Ａを通じて、インナケース３の右側壁３３にアクセスし、インナケース３を上方に持ち上げる。その際、右側壁３３の外面には仕切り帯片４が周回しているため、扱い者は例えば仕切り帯片４を右側壁３３の外面に押し付けつつ上方に向かって押し上げることで、インナケース３を上方に持ち上げることができる。
【００５２】
図６は、実施形態に係るアウタケース２の内部を透視した透視図である。インナケース３におけるリフト用底板３５は、アウタケース２の天壁開口窓２６Ａの下方に位置する領域に設けられている。
従って、扱い者により、アウタケース２内においてインナケース３を持ち上げるリフトアップ操作（本発明でいう所定の開放操作に相当する）が行われると、リフト用底板３５に載置されているシガレットＣが、リフト用底板３５と一緒に持ち上げられる。そして、インナケース３の底面は、リフト用底板３５が形成される領域を除いて開口しているため、リフト用底板３５の上面に載置されていない残りのシガレットＣは持ち上げられることはなく、そのままの状態に維持される。
【００５３】
ヒンジリッド５は、インナケース３における右側壁３３の上端にヒンジ連結されているため、インナケース３と共にヒンジリッド５も上昇する。つまり、アウタケース２の天壁開口窓２６Ａを塞いでいる蓋部５１が上方に持ち上がることで、天壁開口窓２６Ａが開放される。そうすると、リフト用底板３５に載せられた状態で持ち上げられるシガレットＣの上部が、開放された天壁開口窓２６Ａを通じてアウタケース２の外部に突出する。これにより、扱い者は、アウタケース２の外部に露出したシガレットＣの上部を摘むことで、シガレットＣを容易に外部へと取り出すことができる。なお、アウタケース２の天壁開口窓２６Ａが開放された状態では、インナケース３の上面の一部、具体的には天壁開口窓２６Ａの下方に位置する領域が、シガレットＣの取り出し口３６として外部に露出する。
【００５４】
ところで、インナケース３における右側壁３３の上端は、前方側壁３１、後方側壁３２、左側壁３４の上端に比べて若干上方に突出している。そのため、インナケース３が最も高い位置、すなわちインナケース３の前方側壁３１、後方側壁３２、左側壁３４の上端がアウタケース２の天壁２６の内面に当接した状態で、ヒンジリッド５のヒンジ部５４がアウタケース２の右側壁２３の上端より僅かに高い位置に配置される。従って、図６に示すように、ヒンジ部５４を支点にヒン蓋部５１をパッケージ１の側方に向けて円滑に回動させることができる。これにより、アウタケース２の天壁開口窓２６Ａを目一杯広く開放することができる。
【００５５】
更に、パッケージ１は、操作用開口窓２３Ａを通じてインナケース３の上記リフトアップ操作が行われた際に、天壁開口窓２６Ａの開放状態を保持するための開放状態保持手段を具備している。この開放状態保持手段は、アウタケース２の右側壁２３の上部に設置された磁石７Ａ、およびヒンジリッド５の立上り部５２に貼り付けられた金属片７Ｂを含む。そのため、上記のリフトアップ操作に際して、リフトアップ後におけるヒンジリッド５をそのヒンジ部５４を中心に回動させた際に、金属片７Ｂが磁石７Ａに吸着される。
【００５６】
その結果、図２に示すように、ヒンジリッド５の立上り部５２が、インナケース３の右側壁３３の上端に掛り止められる。よって、操作用開口窓２３Ａを通じてインナケース３を押さえ付けている指を離しても、アウタケース２内のインナケース３が上昇した状態に保持することができる。つまり、アウタケース２内におけるインナケース３が、インナケース３の自重やリフト用底板３５に載せられたシガレットＣの重量に起因して不用意に降下することがない。故に、上記構造のパッケージ１によれば、扱い者の意に反してヒンジリッド５が閉じてしまうことがなく、天壁開口窓２６Ａが塞がれることを回避できる。
【００５７】
また、シガレットＣの取り出しが済み次第、扱い者は、ヒンジリッド５の立上り部５２を指で弾き、若しくは把持するなどして磁石７Ａから金属片７Ｂを引き離すことができる。このようにして、ヒンジリッド５を元の姿勢、すなわち蓋部５１が天壁２６に平行となる姿勢に戻し、操作用開口窓２３Ａを通じてインナケース３を降下させることで、ヒンジリッド５の蓋部５１によって天壁開口窓２６Ａを塞ぐことができる。
【００５８】
本実施形態では、アウタケース２の右側壁２３上部に磁石７Ａを設置し、ヒンジリッド５の立上り部５２に金属片７Ｂを設置しているが、磁石７Ａおよび金属片７Ｂを入れ替えて配置してもよい。また、金属片７Ｂは、磁石７Ａに吸着する他の金属材料に置き換えられてもよい。また、天壁開口窓２６Ａの開放状態を保持するための開放状態保持手段は、例えば面ファスナーによって構成されてもよい。例えば、面ファスナーの場合、面ファスナーを構成するループ面をヒンジリッド５の立上り部５２およびアウタケース２の右側壁２３の何れか一方に形成し、面ファスナーを構成するフック面を何れか他方側に形成してもよい。また、上記開放状態保持手段は、ヒンジリッド５の立上り部５２およびアウタケース２の右側壁２３の何れか一方に形成される再剥離テープを含んで構成されてもよい。
【００５９】
図６に示す符号４１は、滑り止め部を示したものである。滑り止め部４１は、第１スリット開口窓３１Ａからインナケース３の外部に送り出された仕切り帯片４のうち外部に露出する面の少なくとも一部に形成されている。本実施形態において、滑り止め部４１は、仕切り帯片４の表面側に形成されており、且つ、仕切り帯片４の幅方向の概ね中央付近に長手方向に沿って延設されている。仕切り帯片４の表面に形成された滑り止め部４１は、操作用開口窓２３Ａから仕切り帯片４が外部に臨む部分にも形成されている。
【００６０】
従って、パッケージ１の扱い者は、例えば滑り止め部４１を押さえ付けている指をそのまま上方にスライドすることでリフトアップ操作を行うことができる。その際、指は滑り止め部４１に掛かっているため、指が滑るなどして操作性が損なわれることがない。つまり、パッケージ１の使い勝手の更なる向上が期待できる。なお、滑り止め部４１は、他の部位に比べて摩擦係数が高ければよく、例えばサンドペーパーやゴム層を設けてもよいし、仕切り帯片４の表面に滑り止めニス、マット調ニスなどを塗布してもよい。また、仕切り帯片４の表面にエンボス加工またはデボス加工を施すなどして滑り止め部４１を形成してもよい。また、滑り止め部４１を形成する範囲は図６に示される範囲に限られず、また、仕切り帯片４の全面に形成されてもよい。
【００６１】
ここで、パッケージ１に収納されるシガレットＣの本数が少なくなると、従来では、シガレットＣの上端または下端がアウタケース２の内面、すなわち底壁２５および天壁２６の内面に引っ掛かりやすく、インナケース２のリフト用底板３５にシガレットＣが乗っかりにくい場合があった。そうすると、上述したリフトアップ操作をしても、シガレットＣを上手く取り出すことが難しくなる。また、パッケージ１を振るなどして上記シガレットＣの引っ掛かりを解消しようとすると、今度はシガレットＣの刻がパッケージ内に散乱するといった弊害を招く要因となる。
【００６２】
これに対して、パッケージ１は、インナケース３の第１スリット開口窓３１Ａから送り出される仕切り帯片４の送り出し量を自在に調整することで、シガレット収納部Ｐ１およびシガレット非収納部Ｐ２の比率を自在に変更できる。
従って、パッケージ１に収納されるシガレットＣの本数が少なくなった場合、扱い者は、操作用開口窓２３Ａを通じて仕切り帯片４にアクセスし、仕切り帯片４の送り出し量が増える方向に仕切り帯片４をスライドさせることで、シガレット収納部Ｐ１を縮小させる送り出し操作を行う。
【００６３】
上記送り出し操作によれば、図４Ｂおよび図５Ｂに示すように、仕切り帯片４の背面によってシガレットＣがインナケース３の右側壁３３側に向かって手繰り寄せられる。その際、シガレットＣの端部がアウタケース２の内面に引っ掛かっていたとしても、当該引っ掛かりが解消され、シガレットＣをリフト用底板３５の上面に容易に載せることができる。従って、リフトアップ操作を行う際に、リフト用底板３５にシガレットＣが載っていないという不都合を回避することができる。つまり、パッケージ１によれば、収納するシガレットＣの残量が少なくなった状態でも、シガレットＣを容易かつ確実に取り出すことが可能となる。
また、パッケージを振ることなしにパッケージ内面へのシガレット端部の引っ掛かりを解消できるため、シガレットＣの刻がパッケージ内に散乱するなどといった事態も回避できる。
【００６４】
更に、パッケージ１から一旦取り出したシガレットＣを再収納したり、新たに用意した別のシガレットＣをパッケージ１に収納する場合、扱い者は、第１スリット開口窓３１Ａから送り出される仕切り帯片４の送り出し量を減少させてシガレット収納部Ｐ１を拡大させる引き込み操作を行う。この引き込み操作においては、扱い者は、前述した送り出し操作と同様に操作用開口窓２３Ａを通じて仕切り帯片４にアクセスし、今度は仕切り帯片４の送り出し量が減少する方向に仕切り帯片４をスライドさせる。具体的には、送り出し操作時とは逆方向に仕切り帯片４をスライドさせる。
【００６５】
これによれば、インナケース３の右側壁３３側に向かってシガレットＣを押し付けていた仕切り帯片４が緩み、シガレット収納部Ｐ１が拡大される。従って、開放された状態の天壁開口窓２６Ａを通じて、シガレットＣをシガレット収納部Ｐ１へと容易に戻すことがきる。
【００６６】
なお、本実施形態に係るパッケージ１によれば、インナケース３の右側壁３３の縁部を面取り縁部３３Ａとしたため、上記送り出し操作および引き込み操作を行う際に、操作用開口窓２３Ａを通じて仕切り帯片４をスムーズにスライドさせることができる。つまり、インナケース３におけるシガレット収納部Ｐ１の大きさの調整を容易に行うことができる。
また、仕切り帯片４の表面には、上述のように滑り止め部４１が形成されるため、仕切り帯片４の送り出し操作および引き込み操作に際して、仕切り帯片４をスライドさせる指が滑ってしまうことを抑制できる。従って、これによっても、上記送り出し操作および引き込み操作に際して、仕切り帯片４をスムーズにスライドさせることができる。
【００６７】
また、仕切り帯片４の基端４Ａを後方側壁３２に固定し、第１スリット開口窓３１Ａを前方側壁３１に設けたので、仕切り帯片４の送り出し部分を操作した際に、シガレット収納部Ｐ１およびシガレット非収納部Ｐ２の比率調整が容易なものとなる。
【００６８】
更に、仕切り帯片４の基端４Ａが後方側壁３２に固定される固定部３２Ａの位置と、前方側壁３１に配置される第１スリット開口窓３１Ａの位置とを、天壁開口窓２６Ａ、リフト用底板３５などが設けられる右側壁３３寄り（近傍）に設定したので、仕切り帯片４の送り出し操作時にシガレット収納部Ｐ１を、より小さな領域となるまで縮小することができる。つまり、仕切り帯片４の送り出し操作によってシガレット収納部Ｐ１を調整できる調整可能範囲を広げることができる。これによれば、パッケージ１内に収納されるシガレットＣの残数が僅かになっても、シガレットＣをリフト用底板３５に載せることが可能となり、シガレットＣの取り出し容易性を担保することができる。
【００６９】
また、パッケージ１によれば、仕切り帯片４の先端４Ｂ側はインナケース３の後方側壁３２とアウタケース２の後壁２２との間に挟み込まれているため、仕切り帯片４の先端４Ｂ側の折れ曲がりや破損を防ぐことができる。
また、仕切り帯片４にアクセスするための操作用開口窓２３Ａをアウタケース２の右側壁２３に形成したので、仕切り帯片４を右側壁３３に沿ってスライドすることで、仕切り帯片４の送り出し操作や引き込み操作を容易に行うことができる。
【００７０】
更に、アウタケース２の底壁２５の内面は、以下に示す段差構造を採用している。図７は、実施形態に係るアウタケース２の底壁２５の段差構造を説明する図である。図７には、アウタケース２およびインナケース３の下部領域における縦断面が示されている。アウタケース２の底壁２５は、その内面（底面）に段差が形成されている。具体的には、右側壁２３側の端部領域が他の部分（以下、浅底部２５Ａという）よりも一段低くなっている深底部２５Ｂが形成されている。そして、深底部２５Ｂは、インナケース３におけるリフト用底板３５の下方に位置する領域に形成されている。
【００７１】
更に、深底部２５Ｂと浅底部２５Ａとの間の段差寸法は、インナケース３のリフト用底板３５の厚さより若干大きな寸法に設定されている。これにより、アウタケース２内に収容されるインナケース３が最下位置まで下された際に、アウタケース２における浅底部２５Ａの上面の高さが、リフト用底板３５の上面の高さに比べて若干高くなる。これにより、仕切り帯片４の送り出し操作時にシガレットＣの下端がリフト用底板３５に引っ掛かることがなく、シガレットＣをリフト用底板３５へとスムーズに載せることが可能となる。
【００７２】
なお、上記段差を解消する観点からは、深底部２５Ｂと浅底部２５Ａとの間の段差寸法をリフト用底板３５の厚さ以上に確保すればよく、深底部２５Ｂと浅底部２５Ａとの間の段差寸法を、リフト用底板３５の厚さと一致させてもよい。その場合、アウタケース２内に収容されるインナケース３が最下位置まで下された際に、アウタケース２における浅底部２５Ａの上面の高さが、リフト用底板３５の上面の高さが一致する。この場合においても、深底部２５Ｂと浅底部２５Ａとの間の段差寸法をリフト用底板３５の厚さよりも大きくした場合と同様に、仕切り帯片４の送り出し操作時にシガレットＣの下端がリフト用底板３５に引っ掛かることを抑制し、シガレットＣをリフト用底板３５へとスムーズに載せることが可能となる。但し、パッケージ１の製造時における製造誤差やパッケージ１を成形するブランク材の厚さ寸法のばらつきがたとえ生じたとしても、浅底部２５Ａの上面の高さがリフト用底板３５の上面の高さよりも低くなることを抑制する観点から、深底部２５Ｂと浅底部２５Ａとの間の段差寸法をリフト用底板３５の厚さより大きな寸法に設定することが特に好ましい。
【００７３】
次に、パッケージ１を成形するためのブランクセットについて説明する。ブランクセットは、アウタケース２を成形するための第１ブランク２００と、インナケース３およびヒンジリッド５を成形するための第２ブランク３００とを含む。図８は、実施形態に係る第１ブランク２００を示す図である。図９は、実施形態に係る第２ブランク３００を示す図である。
【００７４】
第１ブランク２００および第２ブランク３００は、複数のパネルおよびフラップを有し、隣接するパネル同士やフラップ同士、また、隣接するパネルとフラップとの間は、鎖線で示す折り込み線により互いに区画されている。まず、第１ブランク２００について説明し、続いて第２ブランク３００について説明する。
【００７５】
第１ブランク２００は、一列に並んで連結される右側壁補強パネル２０１、前壁用パネル２０２、左側壁用パネル２０３、後壁用パネル２０４、右側壁用パネル２０５、前壁補強用パネル２０６を有する。右側壁補強用パネル２０１および右側壁用パネル２０５は互いに重ね合わせられて接着されることで、右側壁２３を形成する。前壁用パネル２０２および前壁補強用パネル２０６は互いに重ね合わせられて接着されることで、前壁２１を形成する。左側壁用パネル２０３および後壁用パネル２０４は夫々、左側壁２４、後壁２２を形成する。また、右側壁補強用パネル２０１および前壁補強用パネル２０６に形成されている開口は、操作用開口窓２３Ａとなる。なお、右側壁補強用パネル２０１および前壁補強用パネル２０６は、パッケージ１の剛性を高めるための補強用に用いるパネルであり、必要に応じて省略することができる。
【００７６】
左側壁用パネル２０３の上端縁には第１天壁用フラップ２０７が連なり、下端縁には第１底壁補強用フラップ２０８が連なる。後壁用パネル２０４の上端縁には第２天壁用フラップ２０９が連なり、下端縁には底壁用アウタパネル２１０が連なる。また、右側壁用パネル２０５の下端縁には、第２底壁補強用フラップ２１１が連なる。また、前壁用パネル２０２の上端縁には第３天壁用フラップ２１２が連なり、下端縁には底壁用インナパネル２１３が連なる。また、底壁用アウタパネル２１３には、第１浅底用パネル２１４および第２浅底用パネル２１５が順次接続されている。
【００７７】
第１底壁補強用フラップ２０８、第２底壁補強用フラップ２１１、底壁用アウタパネル２１０、底壁用インナパネル２１３、第１浅底用パネル２１４および第２浅底用パネル２１５によって底壁２５が形成される。
第１ブランク２００の組み立て時には、底壁用アウタパネル２１０の上に第１底壁補強用フラップ２０８および第２底壁補強用フラップ２１１が重ね合わせられ、これらが互いに接着される。そして、第１底壁補強用フラップ２０８および第２底壁補強用フラップ２１１の上に底壁用インナパネル２１３が重ね合わせられ、これらが互いに接着される。
更に、第１浅底用パネル２１４および第２浅底用パネル２１５は折り込まれ、互いに接着されると共に、これらが底壁用インナパネル２１３に接着される。第１浅底用パネル２１４および第２浅底用パネル２１５は、底壁２５の浅底部２５Ａを形成する。
【００７８】
第１天壁用フラップ２０７、第２天壁用フラップ２０９、第３天壁用フラップ２１２によって天壁２６が形成される。すなわち、第１天壁用フラップ２０７の上に第２天壁用フラップ２０９および第３天壁用フラップ２１２を順次重ね合わせ、これらを互いに接着することで天壁２６が形成される。なお、第１天壁用フラップ２０７、第２天壁用フラップ２０９、第３天壁用フラップ２１２の接着は、仕切り帯片４を組み込んだインナケース３を内包した状態で行われる。
【００７９】
第２ブランク３００は、一列に連なる左側壁用インナパネル３０１、前方側壁用パネル３０２、第１エッジパネル３０３、右側壁用インナパネル３０４を有する。また、第２ブランク３００は、一列に連なる左側壁用アウタパネル３０５、後方側壁用パネル３０６、第２エッジパネル３０７、右側壁用アウタパネル３０８を有する。第１エッジパネル３０３および右側壁用インナパネル３０４と、第２エッジパネル３０７および右側壁用アウタパネル３０８との間には底板用パネル３０９が接続されている。
【００８０】
また、右側壁用アウタパネル３０８の下端縁には、リアパネル５０１、トップパネル５０２が順次連なっている。また、リアパネル５０１の両側縁にはサイドパネル５０３，５０４が連なっている。また、サイドパネル５０３，５０４には、補強フラップ５０５，５０６が連なっている。リアパネル５０１、トップパネル５０２、サイドパネル５０３，５０４、補強フラップ５０５，５０６によって、ヒンジリッド５が形成される。
【００８１】
第２ブランク３００は、鎖線で表す折り込み線に沿って折り込まれる。そして、左側壁用インナパネル３０１および左側壁用アウタパネル３０５は、重ね合わせられて互いに接着され、左側壁３４を形成する。また、右側壁用インナパネル３０４および右側壁用アウタパネル３０８は、重ね合わせられて互いに接着され、右側壁３３を形成する。第１エッジパネル３０３および第２エッジパネル３０７は、面取り縁部３３Ａを形成する。また、前方側壁用パネル３０２は前方側壁３１を形成し、後方側壁用パネル３０６は後方側壁３２を形成する。なお、前方側壁用パネル３０２に形成される開口は、第１スリット開口窓３１Ａを形成する。
【００８２】
また、リアパネル５０１、トップパネル５０２、およびサイドパネル５０３，５０４は、夫々ヒンジリッド５の立上り部５２、蓋部５１、側板部５３を形成する。また、補強フラップ５０５，５０６は、トップパネル５０２に重ね合されて接着され、蓋部５１の補強をなす。
【００８３】
図３に示される仕切り帯片４を第２ブランク３００に取付けた後、第２ブランクを組み立ててインナケース３およびヒンジリッド５を成形する。具体的には、仕切り帯片４の基端４Ａを、接着部材６によってインナケース３の後方側壁３２（第２ブランク３００の後方側壁用パネル３０６）に接着する。そして、仕切り帯片４の先端４Ｂ側をインナケース３の前方側壁３１に形成された第１スリット開口窓３１Ａ（第２ブランク３００の前方側壁用パネル３０２に形成された開口）に挿通し、アウタケース２の内部に収容する。その後、上述のように第１ブランク２００における第１天壁用フラップ２０７、第２天壁用フラップ２０９、および第３天壁用フラップ２１２を順次接着することで、パッケージ１が完成する。
【００８４】
以上のように構成される第１ブランク２００および第２ブランク３００は、例えばカード紙、マニラボール紙などといった紙材、プラスチック材、金属製材料、またはこれらの組み合わせによって製作することができる。また、本実施形態においては、インナケースの後方側壁３２、前方側壁３１、右側壁３３、左側壁３４が、本発明でいう第１側壁、第２側壁、第３側壁、第４側壁の夫々に対応する。
【００８５】
以上述べた実施の形態は本発明を説明するための一例であって、本発明の本旨を逸脱しない範囲内において上記の実施形態には種々の変更を加え得る。
例えば、上述したパッケージ１においては、仕切り帯片４の基端４Ａをインナケース３の後方側壁３２に固定し、第１スリット開口窓３１Ａを前方側壁３１に形成しているが、これらの配置関係を逆にしてもよい。この場合、仕切り帯片４の送り出し操作および引き込み操作に関するスライド方向が互いに入れ替わることになる。
【００８６】
図１０Ａおよび図１０Ｂは、実施形態の変形例に係るパッケージ１Ａの水平断面図である。ここでは、図４Ａ、図４Ｂに示した構造と異なる点を中心に説明する。変形例に係るパッケージ１Ａは、インナケースの構造のみが上述までのパッケージ１と相違する。符号３Ａは、パッケージ１Ａのインナケースを示している。パッケージ１Ａにおいては、インナケース３Ａの後方側壁３２に、第２スリット開口窓３２Ｂ（第２挿通孔）が形成されている。第２スリット開口窓３２Ｂは、後方側壁３２の高さ方向（長手方向）に沿って延伸する長孔であり、固定部３２Ａよりも後方側壁３２の中央寄りに配置されている。
【００８７】
第２スリット開口窓３２Ｂは、アウタケース２の側壁としての右側壁２３と、インナケース３Ａとの間に挟み込まれた仕切り帯片４を挿通させ、インナケース３Ａの内部に引き込むための開口窓である。
更に、本変形例において、インナケース３Ａの左側壁３４と、前方側壁３１および後方側壁３２の夫々との境界をなす縁部が、面取り縁部３４Ａとして形成されている。本実施形態では、面取り縁部３４Ａが円弧状に面取りされているが、平面状に面取りされていてもよい。
【００８８】
パッケージ１Ａによれば、インナケース３Ａの後方側壁３２に第２スリット開口窓３２Ｂを追加して設けたので、前方側壁３１の第１スリット開口窓３１Ａから外部に送り出され、インナケース３Ａの外面に沿って周回してきた仕切り帯片４を、第２スリット開口窓３２を通じて再びインナケース３Ａの内部に引き込むことできる。これによれば、仕切り帯片４の送り出し操作によって仕切り帯片４の送り出し量が増加した際に、仕切り帯片４の先端４Ｂがアウタケース２の左側壁２４と干渉することを抑制できる。従って、仕切り帯片４の送り出し操作時において、仕切り帯片４の円滑な送り出しが阻害されることを抑制できる。
【００８９】
そして、仕切り帯片４の先端４Ｂ側は、第２スリット開口窓３２Ｂを通じてシガレット非収納部Ｐ２に収めることができる。その際、インナケース３Ａの左側壁３４の縁部を面取り縁部３４Ａとしたので、仕切り帯片４の送り出し操作時に先端４Ｂが左側壁３４に到達した場合、インナケース３Ａの内面に沿って仕切り帯片４をスムーズに摺動させることができる。
更に、本構成例では、後方側壁３２に対して仕切り帯片４の基端４Ａが固定される固定部３２Ａに比べて、第２スリット開口窓３２Ｂを左側壁３４寄りの位置に配置するようにした。これにより、第２スリット開口窓３２Ｂを挿通する仕切り帯片４の先端４Ｂとインナケース３Ａの基端４Ａとが干渉することを回避することが可能となる。
【００９０】
また、上述までの実施形態は、本発明をプッシュアップ式のパッケージに適用する場合を例に挙げて説明したが、他の開閉方式を採用するパッケージに本発明を適用することができる。
すなわち、本発明は、シガレットＣのような棒状物品を複数収納し、開放操作に伴いインナケースの上面の一部が上記棒状物品の取り出し口として外部に露出することで棒状物品へのアクセスが可能となるパッケージであれば、種々の開閉方式を採用するパッケージに適用することができる。
【００９１】
例えば、図１１に示すようなスライド式のパッケージ１Ｂに本発明を適用してもよい。パッケージ１Ｂは、側部に開口端を有した略直方体形状のアウタケース２Ｂと、アウタケース２Ｂに収容されるインナケース３Ｂとを有する。インナケース３Ｂは、アウタケース２Ｂの幅方向にスライド自在に保持されている。
【００９２】
アウタケース２Ｂの左側壁２４には、操作開口部２４Ａが形成されている。この操作開口部２４Ａは、扱い者の指が十分に挿入できる程度の大きさを有する。扱い者は、操作開口部２４Ａを通じてインナケース３Ｂの左側壁３４にアクセスすることができ、例えば左側壁３４を指で押すことで図１１に示すようにインナケース３Ｂをスライドさせることができる。このような開放操作によって、インナケース３Ｂの上面に形成される取り出し口３６が外部に露出することで、インナケース３Ｂに収納されているシガレットＣのアクセスが可能となり、シガレットＣを取り出すことができる。
【００９３】
ところで、パッケージ１Ｂは、アウタケース２Ｂからのインナケース３Ｂの引き出し量が所定量に達した際に互いに係合する係合片が、アウタケース２Ｂおよびインナケース３Ｂの夫々に設置されている。これにより、扱い者がインナケース３Ｂを引き出す際に、インナケース３Ｂがアウタケース２Ｂから過度に引き出されることがなく、インナケース３Ｂがアウタケース２Ｂから脱落することが抑制されている。従って、この種のスライド式のパッケージ１Ｂも、上記パッケージ１と同様、所定の開放操作に伴い、インナケース３Ｂの上面の一部が取り出し口３６として外部に露出することでパッケージ１Ｂが開状態となる。つまり、パッケージ１Ｂを開状態としてシガレットＣを取り出す際に、外部に露出する取り出し口３６が比較的狭くなるといった構造上の特徴がある。
【００９４】
そこで、パッケージ１Ｂにおいても、パッケージ１と同様に、仕切り帯片４を具備する。仕切り帯片４の設置態様は、パッケージ１における態様と同様である。すなわち、仕切り帯片４の基端４Ａがインナケース３Ｂの後方側壁３２に固定される。そして、仕切り帯片４の先端４Ｂ側が、インナケース３Ｂの前方側壁３１に形成された第１スリット開口窓３１Ａに挿通されることで、インナケース３Ｂの外部に送り出されている。仕切り帯片４のうち、第１スリット開口窓３１Ａから外部に送り出された送り出し部分は、インナケース３Ｂの外面を周回するように配置されている。また、仕切り帯片４の先端４Ｂ側は、インナケース３Ｂの後方側壁３２に形成された第２スリット開口窓３２Ｂ（図１０を参照、図１１には図示せず）を通じて、インナケース３Ｂのシガレット非収納部Ｐ２内に引き込まれている。
【００９５】
以上のように構成されるパッケージ１Ｂにおいて、扱い者は、適宜のタイミングで仕切り帯片４の送り出し操作や引き込み操作を行うことができる。例えば、パッケージ１Ｂに収納されているシガレットＣの本数が少なくなった場合、仕切り帯片４の送り出し操作を行うことで、シガレットＣを取り出し口の下方位置まで仕切り帯片４によって引き寄せることができる。その結果、シガレットＣの取り出しが容易となる。また、一旦取り出したシガレットＣを再収納する場合には、仕切り帯片４の引き込み操作を行う。その結果、インナケース３Ｂ内に残っているシガレットＣを周囲から巻き取っている仕切り帯片４の緊張を緩めることができる。よって、インナケース３Ｂの内部に形成されているシガレット収納部Ｐ１の領域を拡大することができ、パッケージ１Ｂに対してシガレットＣを容易に再収納することができる。
【００９６】
また、本発明は、図１２に示すようなアウタケース２Ｃおよびインナケース３Ｃを揺動させてシガレットＣの取り出し口を開閉するスイングオープン式のパッケージ１Ｃに適用してもよい。
パッケージ１Ｃにおいても、上述までのパッケージ１，１Ａ，１Ｂと同様の仕切り帯片４を備えており、扱い者は、仕切り帯片４の送り出し操作や引き込み操作を自在に行うことができる。
【００９７】
なお、上述した種々の内容は、本発明の技術的思想を逸脱しない範囲に於いて可能な限り組み合わせることができる。
【符号の説明】
【００９８】
１・・・パッケージ
２・・・アウタケース
２３Ａ・・・操作用開口窓
２６Ａ・・・天壁開口窓
３・・・インナケース
３１Ａ・・・第１スリット開口窓
３２Ｂ・・・第２スリット開口窓
３５・・・リフト用底板
４・・・仕切り帯片
４１・・・滑り止め部
５・・・ヒンジリッド
５１・・・蓋部
５４・・・ヒンジ部
６・・・接着部材
Ｐ１・・・シガレット収納部
Ｐ２・・・シガレット非収納部
【図１】
2013136425.tif 000003
【図２】
2013136425.tif 000004
【図３】
2013136425.tif 000005
【図４Ａ】
2013136425.tif 000006
【図４Ｂ】
2013136425.tif 000007
【図５Ａ】
2013136425.tif 000008
【図５Ｂ】
2013136425.tif 000009
【図６】
2013136425.tif 000010
【図７】
2013136425.tif 000011
【図８】
2013136425.tif 000012
【図９】
2013136425.tif 000013
【図１０Ａ】
2013136425.tif 000014
【図１０Ｂ】
2013136425.tif 000015
【図１１】
2013136425.tif 000016
【図１２】
2013136425.tif 000017
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
複数の棒状物品を収納するインナケースと、前記インナケースを相対移動可能に収容するアウタケースとを備え、所定の開放操作に伴い前記インナケースが前記アウタケースに対して相対移動することで、前記インナケースの上面の一部が取り出し口として外部に露出し、前記棒状物品へのアクセスが可能となるパッケージであって、
基端側が前記インナケースの内面に固定されると共に先端側を前記インナケースに形成された第１挿通孔に挿通することで一部が外部に露出し、前記インナケース内の領域を前記棒状物品が収納される収納部と非収納部とに仕切る仕切り帯片を更に備え、
前記仕切り帯片は、前記第１挿通孔から前記インナケースの外部への送り出し量が調節されることで前記収納部および前記非収納部の比率を変更自在であり、前記仕切り帯片の先端側が前記インナケースの外面と前記アウタケースの内面との間に挟み込まれている、
棒状物品のパッケージ。
【請求項２】
前記インナケースにおいて一組の対向する側壁のうち何れか一方の第１側壁に前記仕切り帯片の基端側が固定され、何れか他方の第２側壁に前記第１挿通孔が設けられている、
請求項１に記載の棒状物品のパッケージ。
【請求項３】
前記第１側壁に対する前記仕切り帯片の固定部および前記第１挿通孔が、前記第１側壁および前記第２側壁を連結する一組の対向する側壁のうち何れか一方の第３側壁寄りの位置に配置され、
前記取り出し口が、前記インナケースにおける上面のうち前記第３側壁寄りの位置に形成される、
請求項２に記載の棒状物品のパッケージ。
【請求項４】
前記仕切り帯片のうち前記第１挿通孔を挿通して前記インナケースの外部に送り出された部分は前記インナケースの前記第３側壁に沿って配置され、且つ、前記仕切り帯片の先端側は前記インナケースの前記第１側壁と前記アウタケースの側壁との間に挟み込まれている、
請求項３に記載の棒状物品のパッケージ。
【請求項５】
前記インナケースにおいて、前記第３側壁と前記第１側壁との境界をなす縁部、および
前記第３側壁と前記第２側壁との境界をなす縁部が面取りされている、
請求項４に記載の棒状物品のパッケージ。
【請求項６】
前記第１側壁には第２挿通孔が形成されており、前記第１側壁と前記アウタケースの側壁との間に挟み込まれた前記仕切り帯片が、前記第２挿通孔を挿通することで前記インナケースの内部に引き込まれている、
請求項４または５に記載の棒状物品のパッケージ。
【請求項７】
前記インナケースにおいて、前記第３側壁に対向して設けられる第４側壁と前記第１側壁との境界をなす縁部、および前記第４側壁と前記第２側壁との境界をなす縁部が面取りされている、
請求項６に記載の棒状物品のパッケージ。
【請求項８】
前記第１挿通孔から前記インナケースの外部に送り出された前記仕切り帯片のうち外部に露出する面の少なくとも一部に、滑り止め部が形成されている、
請求項４から７の何れか一項に記載の棒状物品のパッケージ。
【請求項９】
前記アウタケースは、
前記インナケースの前記第３側壁に対向する側壁に形成されると共に前記第３側壁および前記仕切り帯片を部分的に露出させる操作用開口窓と、
天壁の一部に形成されて、蓋部材によって開閉される天壁開口窓と、
を有し、
前記インナケースは、前記アウタケース内を昇降自在に収容され、且つ、その底面のうち前記天壁開口窓の下方に位置する領域のみにリフト用底板が形成されている、
請求項４から８の何れか一項に記載の棒状物品のパッケージ。
【請求項１０】
前記アウタケースにおける底壁の内面のうち、前記インナケースの前記リフト用底板の下方に位置する領域に、他の領域に比べて一段低い深底部が設けられている、
請求項９に記載の棒状物品のパッケージ。
【請求項１１】
前記深底部と前記他の領域との段差寸法は、前記インナケースの前記リフト用底板の厚さ以上に設定されている、
請求項１０に記載の棒状物品のパッケージ。
【請求項１２】
前記蓋部材は、前記インナケースの上端にヒンジ連結されると共に前記インナケースの昇降に連動して前記天壁開口窓を開閉するヒンジリッドを有する、
請求項９から１１の何れか一項に記載の棒状物品のパッケージ。
【請求項１３】
前記操作用開口窓を通じて前記インナケースを上昇させた際に前記ヒンジリッドにより前記天壁開口窓が開放された状態を保持する開放状態保持手段を更に備える、
請求項１２に記載の棒状物品のパッケージ。
【国際調査報告】
2013136425.tif 000018
2013136425.tif 000019
2013136425.tif 000020
2013136425.tif 000021